(57)【要約】【課題】人が出入りする箇所に配置される脱臭装置において、脱臭効果が高い構成を提供する。【解決手段】脱臭装置１は、オゾン発生器１１と、オゾン散布部１６と、制御部１７と、を備える。オゾン発生器１１は、オゾンガス又はオゾン水を発生させる。オゾン散布部１６は、霧状の液体を散布可能な噴霧部１６ａを含んで構成されており、オゾン発生器１１が発生させたオゾンガス又はオゾン水を用いて、霧状の水とオゾンガスの混合物、及び、霧状のオゾン水の少なくとも何れかを含むようにしてオゾンを外部に散布する。制御部１７は、オゾン散布部１６が設置される対象空間にいる人及び当該対象空間へ向かう人の少なくとも何れかを検出する人感センサ２３が人を検出することで、オゾン散布部１６が散布するオゾンの量を低減させる処理を行う。【選択図】図１
2018093918.tif 000002
【特許請求の範囲】
【請求項１】
オゾンガス又はオゾン水を発生させるオゾン発生器と、
霧状の液体を散布可能な噴霧部を含んで構成されており、前記オゾン発生器が発生させたオゾンガス又はオゾン水を用いて、霧状の水とオゾンガスの混合物、及び、霧状のオゾン水の少なくとも何れかを含むようにしてオゾンを外部に散布するオゾン散布部と、
前記オゾン散布部が設置される対象空間にいる人及び当該対象空間へ向かう人の少なくとも何れかを検出する人検出手段が人を検出した場合に、前記オゾン散布部が散布するオゾンの量を低減させる処理を行う制御部と、
を備えることを特徴とする脱臭装置。
【請求項２】
請求項１に記載の脱臭装置であって、
前記制御部は、前記人検出手段の検出結果に基づいて人の出入りの頻度を推測し、人の出入りの頻度が所定の閾値以下である場合に、前記オゾン散布部が散布するオゾンの量を増加させる処理を行うことを特徴とする脱臭装置。
【請求項３】
請求項１又は２に記載の脱臭装置と、
前記対象空間の換気を行う換気装置と、
を備え、
前記人検出手段が人を検出した場合に、前記換気装置が単位時間あたりの換気の流量を上昇させることを特徴とする脱臭システム。
【発明の詳細な説明】
【技術分野】
【０００１】
本発明は、主として、オゾンを使用して脱臭を行う脱臭装置に関する。
【背景技術】
【０００２】
特許文献１のオゾン脱臭装置は、オゾン発生器と、シリンダと、ピストンと、噴霧ノズルと、水タンクと、を備える。シリンダ内にはピストンが配置されており、このピストンを引くことで、オゾン発生器が発生させたオゾンガスがシリンダ内へ供給される。この状態でピストンを押すことで、シリンダ内のオゾンガスが噴霧ノズルへ供給される。噴霧ノズルには、水タンクから水が供給されている。この構成により、オゾンガスと霧状水の混合流体が噴霧ノズルから散布される。
【０００３】
特許文献２のオゾン脱臭装置は、脱臭塔と、オゾン発生器と、オゾン供給ノズルと、水供給管と、水噴霧ノズルと、を備える。脱臭塔には、臭気成分を含むガスが供給される。オゾン供給ノズルは、オゾン発生器が発生させたオゾンガスを脱臭塔へ供給する。水噴霧ノズルは、水供給管から供給された水を脱臭塔へ噴霧する。なお、オゾン供給ノズルは水噴霧ノズルの近傍に配置されているため、噴霧した水にオゾンガスを溶け込ませることができる。これにより、噴霧した水に臭気成分を含むガスが溶け込むことで、臭気成分を含むガスとオゾンガスとの反応を促進することができる。
【０００４】
特許文献３の脱臭装置は、特許文献１と同様に、オゾンガスと霧状水（微細水粒）とを混合して噴霧する構成である。特許文献３では、この脱臭装置を建物のゴミ分別場の臭気を取り除くために使用することが記載されている。
【先行技術文献】
【特許文献】
【０００５】
【特許文献１】特開２００８−１８８３２７号公報
【特許文献２】特開２００６−２０５０３５号公報
【特許文献３】特開平１０−３０９４３３号公報
【発明の概要】
【発明が解決しようとする課題】
【０００６】
ここで、オゾンガスを大量に吸引すると人体に影響することがあるため、人がいる場所では、散布するオゾンの量を少なく抑える必要がある。この点、特許文献１では、オゾンガスを水とともに噴霧することで、オゾンガスが空気中に滞留しにくいことを開示している。しかし、オゾンガスを水とともに噴霧する構成であっても、オゾンガスの一部が空気中に滞留することがあるため、オゾンの散布量を高めることにも限界がある。特に、特許文献１では、使用者が手動でオゾンを散布する構成であるため、使用者への影響を考慮すれば、散布するオゾンの量をそれほど高めることはできない。
【０００７】
また、特許文献２及び３では、散布するオゾンの量を少なく抑える構成は記載されていない。
【０００８】
本発明は以上の事情に鑑みてされたものであり、その主要な目的は、人が出入りする箇所に配置される脱臭装置において、脱臭効果が高い構成を提供することにある。
【課題を解決するための手段及び効果】
【０００９】
本発明の解決しようとする課題は以上の如くであり、次にこの課題を解決するための手段とその効果を説明する。
【００１０】
本発明の第１の観点によれば、以下の構成の脱臭装置が提供される。即ち、この脱臭装置は、オゾン発生器と、オゾン散布部と、制御部と、を備える。前記オゾン発生器は、オゾンガス又はオゾン水を発生させる。前記オゾン散布部は、霧状の液体を散布可能な噴霧部を含んで構成されており、前記オゾン発生器が発生させたオゾンガス又はオゾン水を用いて、霧状の水とオゾンガスの混合物、及び、霧状のオゾン水の少なくとも何れかを含むようにしてオゾンを外部に散布する。前記制御部は、前記オゾン散布部が設置される対象空間にいる人及び当該対象空間へ向かう人の少なくとも何れかを検出する人検出手段が人を検出した場合に、前記オゾン散布部が散布するオゾンの量を低減させる処理を行う。
【００１１】
これにより、「霧状のオゾン水」や「霧状の水とオゾンガスの混合物」を散布することで、オゾンの揮発又は拡散を抑制することができるので、空気中のオゾンガスの濃度を低くしつつ、多くのオゾンを散布することができる。従って、人体への影響を軽減しつつ、効果的に脱臭を行うことができる。また、脱臭装置は、人検出手段が人を検出した場合にオゾンの量を低減させる（オゾン水又はオゾンガス等の濃度の低減、オゾン水又はオゾンガス等の流量の低減、散布時間の短縮等を含む）。これにより、人検出手段が人を検出するまでの間において多くのオゾンを散布しても問題がない。従って、効率的に脱臭を行うことができる。
【００１２】
前記の脱臭装置においては、前記制御部は、前記人検出手段の検出結果に基づいて人の出入りの頻度を推測し、人の出入りの頻度が所定の閾値以下である場合に、前記オゾン散布部が散布するオゾンの量を増加させる処理を行うことが好ましい。
【００１３】
これにより、人の出入りが少ないタイミングでオゾンを散布することで、更に効率的に脱臭を行うことができる。
【００１４】
本発明の第２の観点によれば、以下の構成の脱臭システムが提供される。即ち、この脱臭システムは、前記の脱臭装置と、換気装置と、を備える。換気装置は、前記対象空間の換気を行う。前記人検出手段が人を検出した場合に、前記換気装置が単位時間あたりの換気の流量を上昇させる。
【００１５】
これにより、オゾン散布部が散布するオゾンの量を低減させるだけでなく、換気を更に行うことで、対象空間における空気中のオゾンガスの濃度を短時間で低下させることができる。従って、人検出手段が人を検出するまでの間において、多くのオゾンを散布しても問題がないので、更に効率的に脱臭を行うことができる。
【図面の簡単な説明】
【００１６】
【図１】本発明の一実施形態に係る脱臭システムの構成図。
【図２】人感センサの検出結果に応じて、脱臭システムが行う処理を示すフローチャート。
【図３】第１変形例に係る脱臭システムの構成図。
【図４】第２変形例に係る脱臭システムの構成図。
【発明を実施するための形態】
【００１７】
次に、図面を参照して本発明の実施形態を説明する。初めに、図１を参照して、本実施形態に係る脱臭システム１００の構成について説明する。図１は、本発明の一実施形態に係る脱臭システム１００の構成図である。
【００１８】
脱臭システム１００は、建物（集合住宅、公共施設、商業ビル、又は工場等）の室内ゴミ捨て場に設けられており、ゴミから発生する臭気成分を含むガス（以下、臭気ガス）を脱臭するためのシステムである。なお、脱臭システム１００は、脱臭が必要な場所でありオゾンが使用可能な場所であれば、ゴミ捨て場以外の場所（例えば福祉施設の汚物処理室）に設けることもできる。以下の説明では、脱臭を行う対象の空間を「対象空間」と称する。
【００１９】
図１に示すように、脱臭システム１００は、脱臭装置１と、温度センサ２１と、臭気センサ２２と、人感センサ（人検出手段）２３と、換気装置２４と、を備える。
【００２０】
脱臭装置１は、対象空間に配置されており、臭気ガスを脱臭するためのオゾンを散布する。脱臭装置１は、オゾン発生器１１と、オゾン供給管１２と、コンプレッサ１３と、空気供給管１４と、水供給管１５と、オゾン散布部１６と、制御部１７と、を備える。オゾン発生器１１〜制御部１７は、脱臭装置１が備える図略の筐体内又は筐体の近傍に配置されている。なお、オゾン発生器１１〜制御部１７の一部が対象空間の壁面等に埋め込まれていても良い。
【００２１】
オゾン発生器１１は、無声放電等により、空気中の酸素からオゾンガスを生成する。なお、オゾン発生器１１は、無声放電以外の方法（例えば紫外線を用いる方法、及び、電気分解を用いる方法）を用いてオゾンを発生させる構成であっても良い。また、オゾン発生器１１は、空気中の酸素を用いることなく酸素ボンベ等に封入された酸素を用いてオゾンガスを発生させる構成であっても良い。オゾン発生器１１が発生させたオゾンガスは、オゾン供給管１２を介して、オゾン散布部１６へ供給される。
【００２２】
コンプレッサ１３は、圧縮空気を発生させる。コンプレッサ１３が発生させた圧縮空気は、空気供給管１４を介して、オゾン散布部１６へ供給される。
【００２３】
水供給管１５は、水道の蛇口等に接続されており、水道の蛇口から出た水をオゾン散布部１６へ供給する。なお、水供給管１５は、水タンクに貯留した水をオゾン散布部１６へ供給する構成であっても良い。
【００２４】
オゾン散布部１６は、オゾンを外部に散布する。具体的には、オゾン散布部１６は、噴霧部１６ａと、放出部１６ｂと、を備えている。噴霧部１６ａは、供給された液体を霧状（好ましくは、マイクロミスト状、又は、ドライフォグ状）にして散布可能なノズルである。噴霧部１６ａには、コンプレッサ１３から圧縮空気が供給されるとともに、水供給管１５から水が供給されている。これにより、噴霧部１６ａは、霧状の水を散布することができる。
【００２５】
放出部１６ｂは、オゾン供給管１２の下流側の端部であり、オゾン発生器１１が発生させたオゾンガスを放出する。放出部１６ｂは、噴霧部１６ａの近傍に配置されている。これにより、噴霧部１６ａが散布した霧状の水と、放出部１６ｂが放出したオゾンガスと、が混合され、この混合物が対象空間に散布される。
【００２６】
オゾンガスが霧状の水と混合されることで、オゾンが水と接触した状態で存在するため、オゾンガスの拡散が抑制されるので、人体への影響を軽減できる。従って、オゾンガスのみを散布する場合と比較して、高濃度のオゾンガスを放出しても問題とならない。これにより、効率的に脱臭を行うことができる。更に、霧状の水を散布することで、当該水が気化するときの気化熱により、対象空間の温度を下げることができる。従って、ゴミ等の腐敗が進行しにくくなるため、臭気ガスの発生を抑えることができる。
【００２７】
なお、霧状の水のみを散布した場合であっても、対象空間の温度を下げることができる。しかし、この構成では、床又は壁等に水が付着した場合、この水に臭気ガスが溶け込むことで、床又は壁等が汚染されることがある。この点、本実施形態では、オゾンガスの一部は霧状の水に取り込まれる。そして、このオゾンガスが取り込まれた水が床等に付着した場合において、当該水に臭気ガスが溶け込んだとしても、オゾンにより臭気ガスの成分を分解することができるので、床又は壁等の汚染を防止できる。
【００２８】
制御部１７は、脱臭装置１の各部（オゾン発生器１１、コンプレッサ１３、及び噴霧部１６ａ等）を制御するマイクロコンピュータである。制御部１７は、オゾン散布部１６が対象空間に散布するオゾンの量を調整可能である。ここで、オゾンの量とは、一定時間の間に散布されるオゾンの物質量を示している。例えば、オゾン発生器１１が単位時間に発生させる（放出部１６ｂから放出される、以下同様）オゾンガスの流量を増加させたり、オゾン発生器１１が発生させるオゾンガスの濃度を増加させたり、オゾン発生器１１を間欠作動する場合はオゾン発生器１１の作動時間を長くする（具体的には、１回あたりの作動時間を長くする、停止時間を短くする）ことで、散布されるオゾンの量が増加する。
【００２９】
また、制御部１７は、オゾン発生器１１が発生させるオゾンの流量又は濃度に応じて、噴霧部１６ａが散布する霧状の水の散布量を調整しても良いし、オゾン発生器１１が発生させるオゾンの流量又は濃度に関係なく、霧状の水の散布量が一定であっても良い。また、制御部１７は、オゾン発生器１１を間欠作動する場合は、オゾン発生器１１の作動に合わせて噴霧部１６ａを作動しても良いし、オゾン発生器１１の作動タイミングに関係なく常に噴霧部１６ａを作動し続けても良い。
【００３０】
また、制御部１７は、有線又は無線により外部と通信可能に構成されている。この構成により、外部のセンサ（具体的には、温度センサ２１、臭気センサ２２、人感センサ２３）の検出結果に基づいた制御が可能である。
【００３１】
温度センサ２１は、対象空間の壁面等に配置されており、対象空間の温度を検出して、制御部１７へ出力する。対象空間の温度が高いほど、ゴミ等の腐敗が進行し易いため、臭気ガスの発生が進む。従って、制御部１７は、温度センサ２１から入力された温度が高いほど、オゾン散布部１６が散布するオゾンの量を多くする。また、霧状の水の散布量を多くすることで、対象空間の温度を下げることができるので、オゾンの量を多くするだけでなく、霧状の水の散布量を増加させても良い（なお、床又は壁面等に水たまりができない程度に増加させることが好ましい）。なお、温度センサ２１は脱臭装置１に設けられていても良い。
【００３２】
臭気センサ２２は、対象空間の壁面等に配置されており、対象空間の臭気レベルを検出して、制御部１７へ出力する。制御部１７は、臭気センサ２２から入力された臭気レベルが高いほど、オゾン散布部１６が散布するオゾンの量を多くする。なお、臭気センサ２２は脱臭装置１に設けられていても良い。
【００３３】
人感センサ２３は、対象空間の入り口のドア等に設けられており、対象空間にいる人を検出する。人感センサ２３は、入り口の近傍に人がいるか否かを検出するセンサ（赤外線センサ等）であっても良いし、ドアの開閉を検知するセンサ（マグネットセンサ等）であっても良い。人感センサ２３は、検出結果を制御部１７へ出力する。また、人感センサ２３は、対象空間にいる人ではなく、対象空間へ向かう人を検出する構成であっても良い。この場合、対象空間のみへ繋がる通路又はドア等に人感センサ２３が設けられる。なお、人感センサ２３を複数設けて、対象空間にいる人と対象空間へ向かう人の両方を検出しても良い。なお、人検出手段としては、静止画又は動画を撮影し、画像処理により人を検出する構成であっても良い。また、人感センサ２３は、脱臭装置１に設けられていても良い。人感センサ２３の検出結果に応じて制御部１７が行う処理については後述する。
【００３４】
換気装置２４は、対象空間に設けられており、対象空間の換気を行う。換気装置２４は、対象空間の内部の空気を外部へ送出する送風機であっても良いし、対象空間の外部へ繋がるダクトの開閉装置であっても良い。なお、換気装置２４は、人感センサ２３の検出結果に応じて動作可能である（詳細は後述）。
【００３５】
次に、図２を参照して、人感センサ２３の検出結果に応じて、脱臭システム１００が行う処理について説明する。図２は、人感センサの検出結果に応じて、脱臭システムが行う処理を示すフローチャートである。
【００３６】
上述のように、人感センサ２３は、対象空間に人がいるか否かを検出する（Ｓ１０１）。人感センサ２３が人を検出している場合（Ｓ１０１でＹｅｓの場合）、制御部１７はオゾンの散布を行わないように（即ち、散布中の場合はオゾンの散布を停止するように）、オゾン散布部１６を制御する（Ｓ１０２）。また、換気装置２４は、対象空間の換気を行う（即ち、換気の停止中の場合は換気を開始する）（Ｓ１０２）。
【００３７】
オゾン散布部１６によるオゾンの散布を停止している間においても、人感センサ２３は対象空間に人がいるか否かを検出している（Ｓ１０１）。また、人感センサ２３が人を検出しなくなった場合（Ｓ１０１でＮｏの場合）においても、脱臭装置１（制御部１７）はすぐにオゾンの散布を開始しない。なぜなら、例えば人の出入りが多い時間帯では、別の人がすぐに対象空間に来る可能性があり、その結果、新たに散布したオゾンが即座に換気されてしまうからである。
【００３８】
従って、制御部１７及び換気装置２４は、人感センサ２３が人を検出していない時間が所定以上か否かを判定する（Ｓ１０３）。この所定の時間（例えば数分）が経過した場合（Ｓ１０３でＹｅｓの場合）、人の出入りの頻度が所定の閾値以下と判断する。そして、制御部１７は、オゾンの散布を行う（即ち、停止中の場合はオゾンの散布を開始する）（Ｓ１０４）。また、換気装置２４は、対象空間の換気を行わない（即ち、換気中の場合は換気を停止する）（Ｓ１０４）。
【００３９】
本実施形態では、対象空間に人がいる場合は、オゾンの散布を行わずに対象空間を換気するため、対象空間内のオゾンガスの濃度を短時間で低下させることができる。従って、対象空間に人がいない間において、対象空間内のオゾンガスの濃度を高くしても問題がない（散布するオゾンの量を多くすることができる）ので、対象空間を効率的に脱臭できる。
【００４０】
また、対象空間に人がいない状態が所定時間以上続いた後にオゾンの散布を開始するとともに換気を停止することで、オゾンの散布と換気が短時間の間に何度も繰り返される確率を低下させることができる。また、本実施形態では、人を検出していない時間がどの程度継続したかに基づいて、人の出入りの頻度を判断したが、別の方法で人の出入りの頻度を判定することもできる。例えば、直近の既定時間（例えば数時間）で検出した人の数に基づいて、出入りの頻度を判定することもできる。また、時刻毎、曜日毎、日付毎の人の検出結果を集計し、集計結果に基づいて出入りの頻度を判定することもできる。なお、ステップＳ１０３の処理は省略することもできる。
【００４１】
仮に、人感センサ２３を省略する場合は、予め定めたスケジュールに応じて、脱臭装置１及び換気装置２４を作動することで、人の出入り等をある程度考慮して、オゾンを散布できる。なお、ゴミ捨ての日時（曜日等）が決まっている場合は、それに応じてスケジュールを調整することで、必要なタイミングでオゾンを散布できる。
【００４２】
上述のように、人感センサ２３が対象空間に向かう人を検出する構成であれば、人が対象空間に到着するまでに時間差があるため、その時間差を利用して換気を行うことができる。従って、対象空間に人がいない間において、更に多くのオゾンを散布しても問題とならないため、更に効率的に脱臭を行うことができる。
【００４３】
また、上述のように、制御部１７は、温度センサ２１及び臭気センサ２２の検出結果に基づいて、散布するオゾンの量を変化させる。しかし、人感センサ２３の検出結果に基づく制御（図２）は、温度センサ２１及び臭気センサ２２の検出結果に基づく制御よりも優先される。即ち、温度センサ２１が検出した温度が高い場合や臭気センサ２２が検出した臭気レベルが高い場合であっても、人感センサ２３が人を検出している場合は、オゾンの散布が停止される。
【００４４】
また、図２のフローチャートでは、人感センサ２３が人を検出している間は常に換気装置２４が常に作動しているが、十分に換気が行われた後に（一定時間後、又は、オゾン濃度を検出する図略のセンサの検出値が一定以下になった後に）、換気装置２４の作動を停止しても良い。
【００４５】
また、図２のフローチャートでは、換気装置２４の作動（ＯＮ）／停止（ＯＦＦ）を切り替える構成であるが、「ステップＳ１０２での換気装置２４の単位時間あたりの換気の流量」＞「ステップＳ１０４での換気装置２４の単位時間あたりの換気の流量」が成立していれば良い。従って、換気装置２４が換気の流量の強弱を切替可能な場合、ステップＳ１０２において換気装置２４を「強」で作動し、ステップＳ１０２において換気装置２４を「弱」で作動しても良い。
【００４６】
脱臭装置１についても同様である。即ち、「ステップＳ１０２での脱臭装置１が散布するオゾンの量」＜「ステップＳ１０４での脱臭装置１が散布するオゾンの量」が成立していれば良い。なお、ステップＳ１０２でのオゾンの量は、対象空間に人がいても問題ない程度のオゾンの量にする必要がある。
【００４７】
次に、上記実施形態の変形例を説明する。なお、変形例の説明においては、前述の実施形態と同一又は類似の部材には図面に同一の符号を付し、説明を省略する場合がある。
【００４８】
図３は、第１変形例に係る脱臭システム１００の構成図である。上記実施形態の脱臭装置１では、オゾン発生器１１が発生させたオゾンガスは、噴霧部１６ａの近傍に配置された放出部１６ｂから放出される。これに対して、第１変形例の脱臭装置１では、オゾン発生器１１が発生させたオゾンガスは、オゾン供給管１２を介して、コンプレッサ１３へ供給される。コンプレッサ１３は、圧縮空気とオゾンガスを混合して、噴霧部１６ａへ供給する。従って、第１変形例では、放出部１６ｂは設けられていない。第１変形例では、噴霧部１６ａにおいて、オゾンガス、圧縮空気、及び水が混合されて、対象空間へ散布される。
【００４９】
第１変形例の脱臭装置１は、オゾンガスが噴霧部１６ａに供給されるので、オゾンガスと水とが十分に混合された状態で、散布を行うことができる。従って、オゾンガスの拡散を更に抑えることができるため、人体への影響を考慮しつつ、散布するオゾンの量を増加させることができる。一方、第１変形例の脱臭装置１では、コンプレッサ１３及び空気供給管１４等をオゾンで腐食しない構成にする必要があり、更に、コンプレッサ１３が生成する圧縮空気の圧力を上記実施形態よりも高くする必要がある。従って、上記実施形態の脱臭装置１の方が、第１変形例の脱臭装置１よりも安価に製造できる。
【００５０】
なお、上記実施形態の脱臭装置１では、コンプレッサ１３が供給する圧縮空気の圧力が低くても問題ないため、コンプレッサ１３を省略することもできる。
【００５１】
図４は、第２変形例に係る脱臭システム１００の構成図である。上記実施形態の脱臭装置１では、オゾン発生器１１はオゾンガスを生成して送出する。これに対し、第２変形例の脱臭装置１では、オゾン発生器１１に水供給管１５を介して水が供給されており、この水をオゾンガスと混合させることでオゾン発生器１１がオゾン水を生成する。オゾン発生器１１が生成したオゾン水は、オゾン供給管１２を介して、噴霧部１６ａへ供給される。従って、第２変形例では、放出部１６ｂは設けられていない。第２変形例では、噴霧部１６ａにおいて、オゾン水及び圧縮空気が混合されて散布される（霧状のオゾン水が散布される）。
【００５２】
第２変形例の脱臭装置１は、霧状のオゾン水を散布できるので、オゾンガスの揮発を抑制することでオゾンガスの拡散を更に抑制できるため、人体への影響を考慮しつつ、散布するオゾンの量を増加させることができる。一方、オゾン水を生成するオゾン発生器１１は、オゾンガスを生成するオゾン発生器１１と比較して、非常に高価である。更に、コンプレッサ１３が生成する圧縮空気の圧力を上記実施形態よりも高くする必要がある。従って、上記実施形態の脱臭装置１の方が、第２変形例の脱臭装置１よりも安価に製造できる。
【００５３】
また、上記実施形態及び変形例の脱臭装置１は、オゾン散布部１６を１つだけ備える構成であるが、オゾン散布部１６を複数備える構成であっても良い。この場合、複数のオゾン散布部１６は、間隔を空けて配置されることが好ましい。これにより、１台の脱臭装置１を用いて、広い空間を脱臭することができる。また、この構成において、それぞれのオゾン散布部１６がオゾンを散布するタイミングを異ならせることが好ましい。例えば、脱臭装置１が１５台のオゾン散布部１６を備える場合は、それぞれのオゾン散布部１６を１５分間隔で１分間ずつ作動させる。このように、同時に作動するオゾン散布部１６の数を減らす（１つにする）ことにより、オゾン発生器１１及びコンプレッサ１３等の出力を抑えつつ、広い空間を脱臭することができる。
【００５４】
以上に説明したように、脱臭装置１は、オゾン発生器１１と、オゾン散布部１６と、制御部１７と、を備える。オゾン発生器１１は、オゾンガス又はオゾン水を発生させる。オゾン散布部１６は、霧状の液体を散布可能な噴霧部１６ａを含んで構成されており、オゾン発生器１１が発生させたオゾンガス又はオゾン水を用いて、霧状の水とオゾンガスの混合物、及び、霧状のオゾン水の少なくとも何れかを含むようにしてオゾンを外部に散布する。制御部１７は、オゾン散布部１６が設置される対象空間にいる人及び当該対象空間へ向かう人の少なくとも何れかを検出する人感センサ（人検出手段）２３が人を検出することで、オゾン散布部１６が散布するオゾンの量を低減させる処理を行う。
【００５５】
これにより、「霧状のオゾン水」や「霧状の水とオゾンガスの混合物」を散布することで、オゾンの揮発又は拡散を抑制することができるので、空気中のオゾン濃度を低くしつつ、多くのオゾンを散布することができる。従って、人体への影響を軽減しつつ、効果的に脱臭を行うことができる。また、人感センサ２３が人を検出した場合にオゾンの量を低減させることで、人感センサ２３が人を検出するまでの間において多くのオゾンを散布しても問題とならない。従って、効率的に脱臭を行うことができる。なお、脱臭装置１は、脱臭だけでなく、衛生管理の品質にも用いることができる。
【００５６】
また、脱臭装置１の制御部１７は、人感センサ２３の検出結果に基づいて人の出入りの頻度を推測し、人の出入りの頻度が所定の閾値以下である場合に、オゾン散布部１６が散布するオゾンの量を増加させる処理を行う。
【００５７】
これにより、人の出入りが少ないタイミングでオゾンを散布することで、更に効率的に脱臭を行うことができる。
【００５８】
また、脱臭システム１００は、脱臭装置１と、換気装置２４と、を備える。換気装置２４は、対象空間の換気を行う。人感センサ２３が人を検出することで、換気装置２４は、単位時間あたりの換気の流量を上昇させる。
【００５９】
これにより、オゾン散布部１６が散布するオゾンの量を低減させるだけでなく、換気を更に行うことで、対象空間における空気中のオゾン濃度を短時間で低下させることができる。従って、人感センサ２３が人を検出するまでの間において、多くのオゾンを散布することができるので、更に効率的に脱臭を行うことができる。
【００６０】
以上に本発明の好適な実施の形態及び変形例を説明したが、上記の構成は例えば以下のように変更することができる。
【００６１】
上記実施形態及び変形例では、脱臭装置１が備える制御部１７が、オゾン散布部１６の散布タイミング及び散布量等を制御する構成である。これに対して、脱臭システム１００を制御する制御部を備え、この制御部がオゾン散布部１６を制御しても良い。この場合、人感センサ２３等の検出結果は、この制御部に入力される。また、この制御部が換気装置２４の作動を制御する。
【００６２】
上記実施形態及び変形例で示した構成に加えて、更に別のセンサを設けても良い。例えば、湿度センサを追加して、湿度が高くなるほどオゾン散布部１６が散布するオゾンの量を多くする構成であっても良い。また、空気中のオゾンガスの濃度を検出するセンサ等を設け、オゾンガスの濃度が所定以下となるようにオゾン散布部１６及び換気装置２４の少なくとも何れかを制御する構成であっても良い。
【符号の説明】
【００６３】
１  脱臭装置
１１  オゾン発生器
１６  オゾン散布部
１７  制御部
２３  人感センサ（人検出手段）
１００  脱臭システム
【図１】
2018093918.tif 000003
【図２】
2018093918.tif 000004
【図３】
2018093918.tif 000005
【図４】
2018093918.tif 000006